(57)【要約】    【課題】  切断しただけのねじ節鉄筋とベースの溶接及び添プレートのねじ締結からなる構造体を強固なラーメン構造によって実現するようにしたアンカーフレームを提供する。    【解決手段】  基礎コンクリート内に埋設されるアンカーフレームにおいて、ベース１１と、ベースに溶接によって起立して固定されたねじ節鉄筋１２と、内面ねじ節が上記ねじ節鉄筋上端部の外面ねじ節に遊びを有して螺装され、頂面に雄ねじを有する円筒状ボス１３Ａが一体的に設けられているねじ節ナット１３と、その挿通穴１４Ａに上記ねじ節ナットのボスが挿通され、上記ねじ節ナットの頂面上に搭載される添プレート１４と、上記ねし節ナットのボスの雄ねじに螺合されて上記添プレートを締付け固定する取付けナット１５と、を備える。【選択図】  図１
2020060074.tif 000002
【特許請求の範囲】
【請求項１】
基礎コンクリート内に埋設されるアンカーフレームにおいて、
ベース（１１）と、
該ベース（１１）に溶接によって起立して固定されたねじ節鉄筋（１２）と、
内面ねじ節が上記ねじ節鉄筋（１２）上端部の外面ねじ節に遊びを有して螺装され、頂面に雄ねじを有する円筒状ボス（１３Ａ）が一体的に設けられているねじ節ナット（１３）と、
その挿通穴（１４Ａ）に上記ねじ節ナット（１３）のボス（１３Ａ）が挿通され、上記ねじ節ナット（１３）の頂面上に搭載される添プレート（１４）と、
上記ねし節ナット（１３）のボス（１３Ａ）の雄ねじに螺合されて上記添プレート（１４）を締付け固定する取付けナット（１５）と、
を備えたことを特徴とするアンカーフレーム。
【請求項２】
上記ベース（１１）はＬ型アングルが矩形状に組み合わされて相互に固定された構造体となっている請求項１記載のアンカーフレーム。
【請求項３】
上記添プレート（１４）はさらに第２の挿通穴を有し、該第２の挿通穴には第２のねじ節鉄筋（１６）が挿通され、ボス付きねじ節ナット（１３）と取付けナット（１５）とによって締付け固定されている請求項１記載のアンカーフレーム。
【発明の詳細な説明】
【技術分野】
【０００１】
本発明はアンカーフレームに関し、例えば建築構造物の柱脚の固定に用いるアンカーボルトの定着用フレームに関する。
【背景技術】
【０００２】
例えば、建築構造物において柱脚を基礎に固定する場合、埋込式、根巻式及びアンカーボルト式などの方式が知られているが、基礎上の利用空間が広くとれ、しかも施工性が良好なことから、アンカーボルト式がよく採用される。
【０００３】
アンカーボルト式は基礎コンクリートにアンカーボルトを埋込み、アンカーボルトの基礎コンクリートから突出させた部分に柱脚ベースプレートの穴を嵌め込んで固定するというもので、捨てコン上に鋼製フレームを組んで固定しこの鋼製フレームにアンカーボルトを取付け、その上からコンクリートを打設してアンカーボルトを埋設することが行われているが、この方式では鋼製フレームの現場搬入が煩雑で、施工性も悪いごとから、アンカーボルト自体でフレームを組む方式が提案されている（特許文献１）。
【０００４】
また、ねじ節鉄筋の両端部にメートルねじを加工し、ねじ節鉄筋の下端部は定着体の穴に貫通させて雌ねじで締結し、ねじ鉄筋の上端部は添プレートの挿通穴に挿通さて取付ねじで締めつけて固定し、添プレートとねじ節鉄筋製のアンカーボルトで強固なラーメン構造体を構成し、強度的にも十分な剛性が得られるアンカーフレームが提案されているが（特許文献２）、アンカーフレームを建築現場に据え付けする際に添プレートの上下位置の調整と添プレートの水平方向の位置出しが必要になる。
【０００５】
また、アンカーボルトの使用本数を多くしてアンカーボルトの支持耐力を増大することが提案されているが、アッカーボルト自身でフレームを組む方式ではフレームの支柱を増やさなければならず、その支柱が配筋の障害になりやすいことから、アンカーフレーム自体の剛性を高くして配筋傷害を少なくすることが提案されている（特許文献３）。
【０００６】
さらに、添プレートの高さ方向調節を容易にするため、竪梓と固定部材押しボルトからなるアンカーフレームも提案されている（特許文献４）。
【先行技術文献】
【特許文献】
【０００７】
【特許文献１】実開昭６４−６４８号公報
【特許文献２】特開平０６−２３５２２１号公報
【特許文献３】特開平０７−２５２８４７号公報
【特許文献４】特開平成１０−６８１３２号公報
【発明の開示】
【発明が解決しようとする課題】
【０００８】
本発明はかかる状況においてなされたもので、切断しただけのねじ節鉄筋とベースの溶接及び添プレートのねじ締結からなる構造体を強固なラーメン構造によって実現するようにしたアンカーフレームを提供することを課題とする。
【課題を解決するための手段】
【０００９】
そこで、本発明に係るアンカーフレームは、基礎コンクリート内に埋設されるアンカーフレームにおいて、ベースと、該ベースに溶接によって起立して固定されたねじ節鉄筋と、内面ねじ節が上記ねじ節鉄筋上端部の外面ねじ節に遊びを有して螺装され、頂面に雄ねじを有する円筒状ボスが一体的に設けられているねじ節ナットと、その挿通穴に上記ねじ節ナットのボスが挿通され、上記ねじ節ナットの頂面上に搭載される添プレートと、上記ねし節ナットのボスの雄ねじに螺合されて上記添プレートを締付け固定する取付けナットと、を備えたことを特徴とする。
【００１０】
ベースは平坦なプレートでもよいが、強度を確保する上に、アングルが好ましい。即ち、ベースはＬ型アングルが矩形状に組み合わされて相互に固定された構造体となっているのがよい。
【００１１】
ねじ節鉄筋は外周に螺旋状のねじ節を有する異形鉄筋であればよい。
【００１２】
また、添プレートにさらにねじ節鉄筋を垂下させ、アンカーフレームの強度アップを図ることもできる。即ち、添プレートにはさらに第２の挿通穴を設け、該第２の挿通穴には第２のねじ節鉄筋を挿通させ、ボス付きねじ節ナットと取付けナットとによって締付け固定するようにしてもよい。
【００１３】
以上のような本発明によれば、ねじ節鉄筋を切断しただけのねじ節鉄筋をアンカーボルト兼フレーム構造体として使用することができる。
また、ねじ節鉄筋とねじ節ナットによって添プレートを図面で指示された高さに容易に調整することができる。
さらに、遊びのある添プレートの挿通穴にねじ節ナットのメートルねじ付きボス部を挿入し、取付けナットとねじ節ナットによって添プレートを締めつけることによって、強固なラーメン構造のアンカーフレームをつくることができる。
【図面の簡単な説明】
【００１４】
【図１】本発明に係るアンカーフレームの好ましい実施形態を示す概略斜視図である。
【図２】上記アンカーフレームの組立て工程の前半部を示す図である。
【図３】上記アンカーフレームの組立て工程の後半部を示す図である。
【図４】第２の実施形態を示す概略視野市図である。
【図５】第２の実施形態を示す側面図である
【発明を実施するための形態】
【００１５】
以下、本発明を図面に示す具体例に基づいて詳細に説明する。図１は本発明に係るアンカーフレームの好ましい実施形態を示す。図において、本例のアンカーフレーム１０はベース１１、ねじ節鉄筋１２、ねじ節ナット１３、添プレート１４及びナット１５から構成された強固なラーメン構造体をなしている。
【００１６】
ベース１１は４本のアングル１１Ａが矩形状に並べられ、突き当り部分が相互に溶接されて構成され、ベース１１の四隅には切断したままのねじ節鉄筋１２が垂直に立てられて溶接によって固定されている。このねじ節鉄筋１２は異形鉄筋の外周面にねじ節を螺旋状に形成したものであり、ねじ節鉄筋１２の外面ねじ節にはねじ節ナット１３の内面ねじ節が遊びを有して螺装されている。
【００１７】
また、ねじ節ナット１３の頂面には円筒状のボス１３Ａが一定的に形成され、ボス１３Ａの内径はねじ節鉄筋１２の最大外径よりも大きく形成され、ボス１３Ａの外周面にはメートル雄ねじが形成されている。
【００１８】
他方、添プレート１４の四隅には挿通穴１４Ａが形成され、添プレート１４の４つの挿通穴１４Ａがねじ節鉄筋１３の上端部に位置合わせされ、ねじ節ナット１３の頂面に達するまで押し込まれ、ねじ節ナット１３のボス１３Ａにはナット１５が螺合されて締付けられ、添プレート１４がねし節鉄筋１２に固定されている。
【００１９】
次に、組立て方法を説明する。まず、ねじ封鉄筋を柱脚によって決まる寸法に切断し、柱脚によって決まるベース１１の所定位置にねじ節鉄筋１２を垂直に立てて図２の（ａ）に示されるように溶接によって固定する。
【００２０】
このねじ節鉄筋１２の外面ねじ節に図２（ｂ）及び図３（ａ）に示すようにねじ節ナット１３を螺装してねじ節ナット１３の頂面が添プレート１４の所定の高さにくるように螺進退させ、ねじ節鉄筋１２を添プレート１４の挿通穴に位置合わせして添プレート１４を図２（ｃ）及び図３（ｂ）（ｃ）に示されるように押し込む。
【００２１】
最後に、ねじ節鉄筋１２にナット１５を外挿させてねじ節ナット１３のボス１３Ａに螺合させ、螺進させて締付け、図３（ｄ）に示されるように添プレート１４を固定すると、強固なラーメン構造体をなすアンカーフレーム１０が得られる。
【００２２】
なお、ボス付きねじ節ナット１３に添プレート１４を設置し、ナット１５で添プレート１４を仮締めし、工事現場に仮組立てたアンカーフレーム１０を持ち込み、高さ方向はボス付きねじ節ナット１３で調整し、水平方向は振り下げ等で位置合わせして最終の組立てを行うこともできる。
【００２３】
図４及び図５は第２の実施形態を示し、図において第１ないし図３は同一符号は同一又は相当部分を示す。本例では添プレート１４の外側縁にはさらに２つの第２の挿通穴が相互に間隔をあけて形成され、第２の挿通穴には第２のねじ節鉄筋１６が挿通され、前述のボス付きねじ節ナット１３と取付けナット１５とによって第１の実施形態と同様に締付け固定されており、アンカーフレーム１０の強度をさらにアップさせることができる。
【符号の説明】
【００２４】
１０      アンカーフレーム
１１      ベース
１２      ねじ節鉄筋
１３      ねじ節ナット
１４      添プレート
１４Ａ      挿通穴
１５      ナット
１６      第２のねじ節鉄筋
【図１】
2020060074.tif 000003
【図２】
2020060074.tif 000004
【図３】
2020060074.tif 000005
【図４】
2020060074.tif 000006
【図５】
2020060074.tif 000007
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
基礎コンクリート内に埋設されるアンカーフレームにおいて、
ベース（１１）と、
該ベース（１１）の矩形の四頂点の位置に溶接によって起立して固定された４本のねじ節鉄筋（１２）と、
内面ねじ節が上記ねじ節鉄筋（１２）上端部の外面ねじ節に螺装され、頂面に雄ねじを有する円筒状ボス（１３Ａ）が一体的に設けられている４つのねじ節ナット（１３）と、
矩形の四頂点の位置に挿通穴（１４ａ）が形成され、該挿通穴に上記ねじ節ナット（１３）のボス（１３Ａ）が位置合わせされて押し込まれた状態にて上記挿通穴（１４Ａ）に上記ねじ節ナット（１３）のボス（１３Ａ）が挿通され、上記ねじ節ナット（１３）の頂面上に搭載される添プレート（１４）と、
上記ねじ節ナット（１３）のボス（１３Ａ）の雄ねじに螺合されて上記ねじ節ナット（１３）の頂面との間に上記添プレート（１４）を締付け固定する取付けナット（１５）と、
を備えたことを特徴とするアンカーフレーム。
【請求項２】
上記ベース（１１）はＬ型アングルが矩形状に組み合わされて相互に固定された構造体となっている請求項１記載のアンカーフレーム。
【請求項３】
上記添プレート（１４）はさらに第２の挿通穴を有し、該第２の挿通穴には第２のねじ節鉄筋（１６）が挿通され、ボス付きねじ節ナット（１３）と取付けナット（１５）とによって締付け固定されている請求項１記載のアンカーフレーム。
【手続補正２】
【補正対象書類名】明細書
【補正対象項目名】全文
【補正方法】変更
【補正の内容】
【発明の詳細な説明】
【技術分野】
【０００１】
本発明はアンカーフレームに関し、例えば建築構造物の柱脚の固定に用いるアンカーボルトの定着用フレームに関する。
【背景技術】
【０００２】
例えば、建築構造物において柱脚を基礎に固定する場合、埋込式、根巻式及びアンカーボルト式などの方式が知られているが、基礎上の利用空間が広くとれ、しかも施工性が良好なことから、アンカーボルト式がよく採用される。
【０００３】
アンカーボルト式は基礎コンクリートにアンカーボルトを埋込み、アンカーボルトの基礎コンクリートから突出させた部分に柱脚ベースプレートの穴を嵌め込んで固定するというもので、捨てコン上に鋼製フレームを組んで固定しこの鋼製フレームにアンカーボルトを取付け、その上からコンクリートを打設してアンカーボルトを埋設することが行われているが、この方式では鋼製フレームの現場搬入が煩雑で、施工性も悪いことから、アンカーボルト自体でフレームを組む方式が提案されている（特許文献１）。
【０００４】
また、ねじ節鉄筋の両端部にメートルねじを加工し、ねじ節鉄筋の下端部は定着体の穴に貫通させて雌ねじで締結し、ねじ鉄筋の上端部は添プレートの挿通穴に挿通さて取付ねじで締めつけて固定し、添プレートとねじ節鉄筋製のアンカーボルトで強固なラーメン構造体を構成し、強度的にも十分な剛性が得られるアンカーフレームが提案されているが（特許文献２）、アンカーフレームを建築現場に据え付けする際に添プレートの上下位置の調整と添プレートの水平方向の位置出しが必要になる。
【０００５】
また、アンカーボルトの使用本数を多くしてアンカーボルトの支持耐力を増大することが提案されているが、アンカーボルト自身でフレームを組む方式ではフレームの支柱を増やさなければならず、その支柱が配筋の障害になりやすいことから、アンカーフレーム自体の剛性を高くして配筋傷害を少なくすることが提案されている（特許文献３）。
【０００６】
さらに、添プレートの高さ方向調節を容易にするため、竪梓と固定部材押しボルトからなるアンカーフレームも提案されている（特許文献４）。
【先行技術文献】
【特許文献】
【０００７】
【特許文献１】実開昭６４−６４８号公報
【特許文献２】特開平０６−２３５２２１号公報
【特許文献３】特開平０７−２５２８４７号公報
【特許文献４】特開平成１０−６８１３２号公報
【発明の開示】
【発明が解決しようとする課題】
【０００８】
本発明はかかる状況においてなされたもので、切断しただけのねじ節鉄筋とベースの溶接及び添プレートのねじ締結からなる構造体を強固なラーメン構造によって実現するようにしたアンカーフレームを提供することを課題とする。
【課題を解決するための手段】
【０００９】
そこで、本発明に係るアンカーフレームは、  基礎コンクリート内に埋設されるアンカーフレームにおいて、ベースと、該ベースの矩形の四頂点の位置に溶接によって起立して固定された４本のねじ節鉄筋と、内面ねじ節が上記ねじ節鉄筋上端部の外面ねじ節に螺装され、頂面に雄ねじを有する円筒状ボスが一体的に設けられている４つのねじ節ナットと、矩形の四頂点の位置に挿通穴が形成され、該挿通穴に上記ねじ節ナットのボスが位置合わせされて押し込まれた状態にて上記挿通穴に上記ねじ節ナットのボスが挿通され、上記ねじ節ナットの頂面上に搭載される添プレートと、上記ねじ節ナットのボスの雄ねじに螺合されて上記ねじ節ナットの頂面との間に上記添プレートを締付け固定する取付けナットと、を備えたことを特徴とする。
【００１０】
ベースは平坦なプレートでもよいが、強度を確保する上に、アングルが好ましい。即ち、ベースはＬ型アングルが矩形状に組み合わされて相互に固定された構造体となっているのがよい。
【００１１】
ねじ節鉄筋は外周に螺旋状のねじ節を有する異形鉄筋であればよい。
【００１２】
また、添プレートにさらにねじ節鉄筋を垂下させ、アンカーフレームの強度アップを図ることもできる。即ち、添プレートにはさらに第２の挿通穴を設け、該第２の挿通穴には第２のねじ節鉄筋を挿通させ、ボス付きねじ節ナットと取付けナットとによって締付け固定するようにしてもよい。
【００１３】
以上のような本発明によれば、ねじ節鉄筋を切断しただけのねじ節鉄筋をアンカーボルト兼フレーム構造体として使用することができる。
また、ねじ節鉄筋とねじ節ナットによって添プレートを図面で指示された高さに容易に調整することができる。
さらに、遊びのある添プレートの挿通穴にねじ節ナットのメートルねじ付きボス部を挿入し、取付けナットとねじ節ナットによって添プレートを締めつけることによって、強固なラーメン構造のアンカーフレームをつくることができる。
【図面の簡単な説明】
【００１４】
【図１】本発明に係るアンカーフレームの好ましい実施形態を示す概略斜視図である。
【図２】上記アンカーフレームの組立て工程の前半部を示す図である。
【図３】上記アンカーフレームの組立て工程の後半部を示す図である。
【図４】第２の実施形態を示す概略視野市図である。
【図５】第２の実施形態を示す側面図である
【発明を実施するための形態】
【００１５】
以下、本発明を図面に示す具体例に基づいて詳細に説明する。図１は本発明に係るアンカーフレームの好ましい実施形態を示す。図において、本例のアンカーフレーム１０はベース１１、ねじ節鉄筋１２、ねじ節ナット１３、添プレート１４及びナット１５から構成された強固なラーメン構造体をなしている。
【００１６】
ベース１１は４本のアングル１１Ａが矩形状に並べられ、突き当り部分が相互に溶接されて構成され、ベース１１の四隅には切断したままのねじ節鉄筋１２が垂直に立てられて溶接によって固定されている。このねじ節鉄筋１２は異形鉄筋の外周面にねじ節を螺旋状に形成したものであり、ねじ節鉄筋１２の外面ねじ節にはねじ節ナット１３の内面ねじ節が遊びを有して螺装されている。
【００１７】
また、ねじ節ナット１３の頂面には円筒状のボス１３Ａが一体的に形成され、ボス１３Ａの内径はねじ節鉄筋１２の最大外径よりも大きく形成され、ボス１３Ａの外周面にはメートル雄ねじが形成されている。
【００１８】
他方、添プレート１４の四隅には挿通穴１４Ａが形成され、添プレート１４の４つの挿通穴１４Ａがねじ節鉄筋１３の上端部に位置合わせされ、ねじ節ナット１３の頂面に達するまで押し込まれ、ねじ節ナット１３のボス１３Ａにはナット１５が螺合されて締付けられ、添プレート１４がねじ節鉄筋１２に固定されている。
【００１９】
次に、組立て方法を説明する。まず、ねじ節鉄筋を柱脚によって決まる寸法に切断し、柱脚によって決まるベース１１の所定位置にねじ節鉄筋１２を垂直に立てて図２の（ａ）に示されるように溶接によって固定する。
【００２０】
このねじ節鉄筋１２の外面ねじ節に図２（ｂ）及び図３（ａ）に示すようにねじ節ナット１３を螺装してねじ節ナット１３の頂面が添プレート１４の所定の高さにくるように螺進退させ、ねじ節鉄筋１２を添プレート１４の挿通穴に位置合わせして添プレート１４を図２（ｃ）及び図３（ｂ）（ｃ）に示されるように押し込む。
【００２１】
最後に、ねじ節鉄筋１２にナット１５を外挿させてねじ節ナット１３のボス１３Ａに螺合させ、螺進させて締付け、図３（ｄ）に示されるように添プレート１４を固定すると、強固なラーメン構造体をなすアンカーフレーム１０が得られる。
【００２２】
なお、ボス付きねじ節ナット１３に添プレート１４を設置し、ナット１５で添プレート１４を仮締めし、工事現場に仮組立てたアンカーフレーム１０を持ち込み、高さ方向はボス付きねじ節ナット１３で調整し、水平方向は振り下げ等で位置合わせして最終の組立てを行うこともできる。
【００２３】
図４及び図５は第２の実施形態を示し、図において第１ないし図３は同一符号は同一又は相当部分を示す。本例では添プレート１４の外側縁にはさらに２つの第２の挿通穴が相互に間隔をあけて形成され、第２の挿通穴には第２のねじ節鉄筋１６が挿通され、前述のボス付きねじ節ナット１３と取付けナット１５とによって第１の実施形態と同様に締付け固定されており、アンカーフレーム１０の強度をさらにアップさせることができる。
【符号の説明】
【００２４】
１０      アンカーフレーム
１１      ベース
１２      ねじ節鉄筋
１３      ねじ節ナット
１４      添プレート
１４Ａ      挿通穴
１５      ナット
１６      第２のねじ節鉄筋